(57)【要約】      （修正有）【課題】ウェブが正規搬送位置からずれた位置で搬送された場合でも、ウェブ表面に形成される塗布膜等の両幅端位置を、ウェブの両幅端位置に対し所望の位置関係に修正するダイ方式塗工装置等を提供する。【解決手段】ダイ方式塗工装置１００は、供給ロール20とダイ21と巻取ロール22とを具え、ダイ21の上流位置のウェブ幅端位置検出手段28と、ダイ21の下流位置の膜幅端位置検出手段29とを具え、ダイ21が、ダイ21の両端部に配置され、ダイ21内にて移動が容易な１対のインナーディッケル35と駆動手段32とを有し、ウェブ幅端位置検出手段28で検知したウェブＴの両幅端位置30a,30bの情報および膜幅端位置検出手段29で検知した塗布液膜23の両幅端位置31a,31bの情報に基づいて、駆動手段32を駆動させて、ダイ21に対するインナーディッケル35のそれぞれの相対位置を変更する。【選択図】図１
2013188735.tif 000002
【特許請求の範囲】
【請求項１】
長尺帯状のウェブを連続的に送り出す供給ロールと、
該供給ロールから送り出されて搬送される前記ウェブの少なくとも片面上に、塗布液を吐出させて塗布するダイと、
前記ウェブ上に吐出して塗布した塗布液膜を乾燥させて塗布膜とした上で前記ウェブを巻き取る巻取ロールと
を具えるダイ方式塗工装置において、
該塗工装置は、前記ウェブの搬送方向に見て、
前記ダイよりも上流位置に配設され、前記ウェブの両幅端位置を検出するウェブ幅端位置検出手段と、
前記ダイよりも下流位置に配設され、前記ウェブ上の塗布液膜または塗布膜の両幅端位置を検出する膜幅端位置検出手段と、
をさらに具え、
前記ダイが、
該ダイの両端部に配置され、前記ダイ内にて前記ダイの長手方向に沿う移動が容易になるように構成した、塗工幅を調整するための１対のインナーディッケルと、
前記インナーディッケルを移動させるため駆動させる駆動手段と
を有し、
前記ウェブ幅端位置検出手段により検知した前記ウェブの両幅端位置情報および前記膜幅端位置検出手段により検知した前記塗布液膜または塗布膜の両幅端位置情報に基づいて、前記駆動手段を駆動させることによって、前記ダイに対する前記インナーディッケルのそれぞれの相対位置を変更することを特徴とするダイ方式塗工装置。
【請求項２】
前記ダイは、１対の分割金型部材を合体させて形成してなる金型で構成され、
該金型の長手方向に延びるマニホールドと、
該マニホールドから前記金型の径方向外方に向かって延びるスリットと、
を有し、
前記インナーディッケルは、
前記マニホールドに対応した外面形状をもつシャフト状のディッケル本体部と、
該ディッケル本体部から延び、前記スリットに対応した外面形状をもつシート状またはフィルム状のディッケル補助部と
を有し、
前記ディッケル本体部は、前記ディッケル補助部を配置した領域の少なくとも一部に、前記マニホールド内に充填される、塗布または押出成形するための液状物の液密封止を補強する補強シール部を具え、
該補強シール部が、前記ダイに対するインナーディッケルの位置移動時には、前記マニホールドの内壁に対して弾性変形しながら摺動し、かつ、前記ダイに対するインナーディッケルの位置固定時には、弾性復元力により、互いに協動した状態で前記内壁に密着する２枚以上のフィルムを含む少なくとも１つのシール部材を具える請求項１に記載のダイ方式塗工装置。
【請求項３】
前記シール部材を構成するフィルムが、マニホールド径（ｒｃ）よりも大きな外径をもつ請求項１または２に記載のダイ方式塗工装置。
【請求項４】
前記シール部材を構成するフィルムの外径（ｒｂ）は、マニホールド径（ｒｃ）よりも0.01〜１ｍｍだけ大きい請求項１、２または３に記載のダイ方式塗工装置。
【請求項５】
各シール部材は、前記フィルム間に、マニホールド径（ｒｃ）よりも小さな外径（ｒｓ）をもつ第１スペーサ部材をさらに具える請求項１〜４のいずれか１項に記載のダイ方式塗工装置。
【請求項６】
第１スペーサ部材の外径（ｒｓ）は、マニホールド径（ｒｃ）よりも0.001〜３ｍｍだけ小さい請求項５に記載のダイ方式塗工装置。
【請求項７】
第１スペーサ部材の外径をｒｓおよびフィルムの外径をｒｂとすると、第１スペーサ部材の厚さｔｓは、下記の関係式を満足する請求項５または６に記載のダイ方式塗工装置。
ｔｓ＜（ｒｂ−ｒｓ）
【請求項８】
補強シール部は、少なくとも２つのシール部材を具え、該シール部材間に、マニホールド径（ｒｃ）よりも小さい外径（ｒａ）をもつ第２スペーサ部材をさらに具える請求項１〜７のいずれか１項に記載のダイ方式塗工装置。
【請求項９】
第２スペーサ部材の外径（ｒａ）は、マニホールド径よりも0.001〜３ｍｍだけ小さい請求項８に記載のダイ方式塗工装置。
【請求項１０】
前記補強シール部は、前記ディッケル補助部を配置した領域内の、前記インナーディッケルの先端側区域に設ける請求項１〜９のいずれか１項に記載のダイ方式塗工装置。
【請求項１１】
各シール部材を構成するフィルムの枚数は２枚である請求項１〜１０のいずれか１項に記載のダイ方式塗工装置。
【請求項１２】
前記フィルムは潤滑性樹脂材料からなる請求項１〜１１のいずれか１項に記載のダイ方式塗工装置。
【請求項１３】
供給ロールから長尺帯状のウェブを連続的に送り出す工程と、
送り出されて搬送される前記ウェブの少なくとも片面上に、ダイにより塗布液を吐出させて塗布する工程と、
巻き取りロールにより、前記ウェブ上に吐出して塗布した塗布液膜を乾燥させて塗布膜とした上で前記ウェブを巻き取る工程と
を具えるダイ方式塗工方法において、
該塗工方法は、前記ウェブの搬送方向に見て、
前記ダイよりも上流位置に配設されるウェブ幅端位置検出手段によって、前記ウェブの両幅端位置を検出する工程と、
前記ダイよりも下流位置に配設される膜幅端位置検出手段によって、前記ウェブ上の塗布液膜または塗布膜の両幅端位置を検出する工程と、
をさらに具え、
前記ダイが、
該ダイの両端部に配置され、前記ダイ内にて前記ダイの長手方向に沿う移動が容易になるように構成した、塗工幅を調整するための１対のインナーディッケルと、
前記インナーディッケルを移動させるため駆動させる駆動手段と
を有し、
前記ウェブ幅端位置検出手段により検知した前記ウェブの両幅端位置情報および前記膜幅端位置検出手段により検知した前記塗布液膜または塗布膜の両幅端位置情報に基づいて、前記駆動手段を駆動させることによって、前記ダイに対する前記インナーディッケルのそれぞれの相対位置を変更することを特徴とするダイ方式塗工方法。
【発明の詳細な説明】
【技術分野】
【０００１】
本発明は、連続走行する長尺帯状のウェブに蛇行等が生じてウェブが正規搬送位置からずれた位置で搬送された場合であっても、ウェブの表面上に形成される塗布液膜または塗布膜の両幅端位置を、ウェブの両幅端位置に対して迅速に所望の位置関係に修正することができ、また、被処理材を、異なる幅寸法をもつウェブに変更して塗布膜を形成する場合であっても、ダイを分解することなく、ウェブ幅に対応して塗工幅の調整が容易なダイ方式塗工装置およびダイ方式塗工方法に関する。
【背景技術】
【０００２】
連続走行する長尺帯状のウェブの表面に塗布膜を形成する従来の塗工装置としては、例えば特許文献１に示すようなスロットダイ塗工装置が挙げられる。
【０００３】
特許文献１に記載のスロットダイ塗工装置は、塗布基材に塗布液を供給するためのスロットが形成されたスロットダイを備え、前記スロットが前記塗布基材に対向し、前記塗布基材に対向する前記スロットの断面が、その両端部において塗布液の供給を相対的に抑制する形状、具体的には、側面をテーパー状に加工等を施した１枚以上のシムを、前記スロットの出口方向に平行して介装させて形成したものである。
【０００４】
しかしながら、このようなスロットダイ塗工装置は、被処理材を、異なる幅寸法をもつウェブに変更して塗布膜を形成する場合には、作業者が、ダイを分解し、現在介装されているシムに代えて、塗工幅に対応したサイズをもつ別のシムを介装することが必要であるため、作業性や環境上の観点から問題があり、加えて、連続走行する長尺帯状のウェブが正規搬送位置からずれた位置で搬送された場合には、ウェブの表面上に形成される塗布液膜または塗布膜の両幅端位置を、ウェブの両幅端位置に対して所望の位置関係に修正することは、その装置構成上、困難であった。
【０００５】
また、特許文献２には、ダイの両端部にそれぞれインナーディッケルを装着し、これらのインナーディッケルをダイ内の長手方向に沿って移動させて、塗布液の吐出位置および吐出幅を任意に変化させると共に塗布液の供給量を制御することにより、塗布液を被処理材に対して任意の形状に連続的または間欠的に塗布できる塗工装置が記載されている。
【０００６】
しかしながら、特許文献２に記載の塗工装置は、塗布液の塗布形状を、被処理材の移動量に対応した塗布液の吐出位置および吐出幅とした数式として制御手段に記憶せしめ、この数式に基づいてインナーディッケルを移動させているに過ぎないため、連続走行する長尺帯状のウェブが、実際に正規搬送方位置からずれた位置で搬送された場合であっても、ウェブの表面上に形成される塗布液膜または塗布膜の両幅端位置や、ウェブの両幅端位置を直接検知する構成を採用していないため、塗布液膜または塗布膜の両幅端位置を、ウェブの両幅端位置に対して所望の位置関係に正確に修正することは難しい。
【先行技術文献】
【特許文献】
【０００７】
【特許文献１】特開２００４−３０５９５５号公報
【特許文献２】特開２００４−８９７５号公報
【発明の概要】
【発明が解決しようとする課題】
【０００８】
本発明の目的は、ダイの両端部に配置したインナーディッケルを、ダイ内にてダイの長手方向に沿う移動が容易になるように構成するとともに、ウェブの搬送方向に見て、ダイの上流位置と下流位置にそれぞれ所定の検出手段を配設することによって、連続走行する長尺帯状のウェブが正規搬送位置からずれた位置で搬送された場合であっても、ウェブの表面上に形成される塗布液膜または塗布膜の両幅端位置を、ウェブの両幅端位置に対して迅速に所望の位置関係に修正することができ、また、被処理材を、異なる幅寸法をもつウェブに変更して塗布膜を形成する場合であっても、ダイを分解することなく、ウェブ幅に対応して塗工幅の調整が容易なダイ方式塗工装置およびダイ方式塗工方法を提供することにある。
【課題を解決するための手段】
【０００９】
上記目的を達成するため、本発明の要旨構成は以下の通りである。
（１）長尺帯状のウェブを連続的に送り出す供給ロールと、該供給ロールから送り出されて搬送される前記ウェブの少なくとも片面上に、塗布液を吐出させて塗布するダイと、前記ウェブ上に吐出して塗布した塗布液膜を乾燥させて塗布膜とした上で前記ウェブを巻き取る巻取ロールとを具えるダイ方式塗工装置において、該塗工装置は、前記ウェブの搬送方向に見て、前記ダイよりも上流位置に配設され、前記ウェブの両幅端位置を検出するウェブ幅端位置検出手段と、前記ダイよりも下流位置に配設され、前記ウェブ上の塗布液膜または塗布膜の両幅端位置を検出する膜幅端位置検出手段とをさらに具え、前記ダイが、該ダイの両端部に配置され、前記ダイ内にて前記ダイの長手方向に沿う移動が容易になるように構成した、塗工幅を調整するための１対のインナーディッケルと、前記インナーディッケルを移動させるため駆動させる駆動手段とを有し、前記ウェブ幅端位置検出手段により検知した前記ウェブの両幅端位置情報および前記膜幅端位置検出手段により検知した前記塗布液膜または塗布膜の両幅端位置情報に基づいて、前記駆動手段を駆動させることによって、前記ダイに対する前記インナーディッケルのそれぞれの相対位置を変更することを特徴とするダイ方式塗工装置。
【００１０】
（２）前記ダイは、１対の分割金型部材を合体させて形成してなる金型で構成され、該金型の長手方向に延びるマニホールドと、該マニホールドから前記金型の径方向外方に向かって延びるスリットとを有し、前記インナーディッケルは、前記マニホールドに対応した外面形状をもつシャフト状のディッケル本体部と、該ディッケル本体部から延び、前記スリットに対応した外面形状をもつシート状またはフィルム状のディッケル補助部とを有し、前記ディッケル本体部は、前記ディッケル補助部を配置した領域の少なくとも一部に、前記マニホールド内に充填される、塗布または押出成形するための液状物の液密封止を補強する補強シール部を具え、該補強シール部が、前記ダイに対するインナーディッケルの位置移動時には、前記マニホールドの内壁に対して弾性変形しながら摺動し、かつ、前記ダイに対するインナーディッケルの位置固定時には、弾性復元力により、互いに協動した状態で前記内壁に密着する２枚以上のフィルムを含む少なくとも１つのシール部材を具える上記（１）に記載のダイ方式塗工装置。
【００１１】
（３）前記シール部材を構成するフィルムが、マニホールド径（ｒｃ）よりも大きな外径をもつ上記（１）または（２）に記載のダイ方式塗工装置。
【００１２】
（４）前記シール部材を構成するフィルムの外径（ｒｂ）は、マニホールド径（ｒｃ）よりも0.01〜１ｍｍだけ大きい上記（１）、（２）または（３）に記載のダイ方式塗工装置。
【００１３】
（５）各シール部材は、前記フィルム間に、マニホールド径（ｒｃ）よりも小さな外径（ｒｓ）をもつ第１スペーサ部材をさらに具える上記（１）〜（４）のいずれか１項に記載のダイ方式塗工装置。
【００１４】
（６）第１スペーサ部材の外径（ｒｓ）は、マニホールド径（ｒｃ）よりも0.001〜３ｍｍだけ小さい上記（５）に記載のダイ方式塗工装置。
【００１５】
（７）第１スペーサ部材の外径をｒｓおよびフィルムの外径をｒｂとすると、第１スペーサ部材の厚さｔｓは、下記の関係式を満足する上記（５）または（６）に記載のダイ方式塗工装置。
ｔｓ＜（ｒｂ−ｒｓ）
【００１６】
（８）補強シール部は、少なくとも２つのシール部材を具え、該シール部材間に、マニホールド径（ｒｃ）よりも小さい外径（ｒａ）をもつ第２スペーサ部材をさらに具える上記（１）〜（７）のいずれか１項に記載のダイ方式塗工装置。
【００１７】
（９）第２スペーサ部材の外径（ｒａ）は、マニホールド径よりも0.001〜３ｍｍだけ小さい上記（８）に記載のダイ方式塗工装置。
【００１８】
（１０）前記補強シール部は、前記ディッケル補助部を配置した領域内の、前記インナーディッケルの先端側区域に設ける上記（１）〜（９）のいずれか１項に記載のダイ方式塗工装置。
【００１９】
（１１）各シール部材を構成するフィルムの枚数は２枚である上記（１）〜（１０）のいずれか１項に記載のダイ方式塗工装置。
【００２０】
（１２）前記フィルムは潤滑性樹脂材料からなる上記（１）〜（１１）のいずれか１項に記載のダイ方式塗工装置。
【００２１】
（１３）供給ロールから長尺帯状のウェブを連続的に送り出す工程と、送り出されて搬送される前記ウェブの少なくとも片面上に、ダイにより塗布液を吐出させて塗布する工程と、巻き取りロールにより、前記ウェブ上に吐出して塗布した塗布液膜を乾燥させて塗布膜とした上で前記ウェブを巻き取る工程とを具えるダイ方式塗工方法において、該塗工方法は、前記ウェブの搬送方向に見て、前記ダイよりも上流位置に配設されるウェブ幅端位置検出手段によって、前記ウェブの両幅端位置を検出する工程と、前記ダイよりも下流位置に配設される膜幅端位置検出手段によって、前記ウェブ上の塗布液膜または塗布膜の両幅端位置を検出する工程とをさらに具え、前記ダイが、該ダイの両端部に配置され、前記ダイ内にて前記ダイの長手方向に沿う移動が容易になるように構成した、塗工幅を調整するための１対のインナーディッケルと、前記インナーディッケルを移動させるため駆動させる駆動手段とを有し、前記ウェブ幅端位置検出手段により検知した前記ウェブの両幅端位置情報および前記膜幅端位置検出手段により検知した前記塗布液膜または塗布膜の両幅端位置情報に基づいて、前記駆動手段を駆動させることによって、前記ダイに対する前記インナーディッケルのそれぞれの相対位置を変更することを特徴とするダイ方式塗工方法。
【発明の効果】
【００２２】
本発明によれば、ダイの両端部に配置したインナーディッケルを、ダイ内にて前記ダイの長手方向に沿う移動が容易になるように構成するとともに、ウェブの搬送方向に見て、ダイの上流位置と下流位置にそれぞれ所定の検出手段を配設することによって、連続走行する長尺帯状のウェブが正規搬送位置からずれた位置で搬送された場合であっても、ウェブの表面上に形成される塗布液膜または塗布膜の両幅端位置を、ウェブの両幅端位置に対して迅速に所望の位置関係に修正することができ、また、被処理材を、異なる幅寸法をもつウェブに変更して塗布膜を形成する場合であっても、ダイを分解することなく、ウェブ幅に対応して塗工幅の調整が容易なダイ方式塗工装置およびダイ方式塗工方法を提供することが可能になった。
【図面の簡単な説明】
【００２３】
【図１】図１は、本発明に従う代表的なダイ方式塗工装置の要部構成を示す概略斜視図である。
【図２】図２は、本発明に従うダイ方式塗工装置を構成する代表的なインナーディッケルをダイに装着する前の状態を示す斜視図である。
【図３】図３は、図２に示すインナーディッケルをダイに装着した後の状態を示す斜視図である。
【図４】図４は、図２に示したインナーディッケルの拡大斜視図である。
【図５】図５は、図４の領域Ｘで囲まれたインナーディッケルの部分の拡大斜視図である。
【図６】図６は、図４に示す補強シール部を構成するスペーサ部材とシール部材の寸法関係を説明するための図である。
【図７】図７は、補強シール部を構成するシール部材の他の実施形態を示す説明図である。
【図８】図８は、補強シール部を構成するシール部材の他の実施形態を示す説明図である。
【図９】図９は、補強シール部を構成するシール部材の他の実施形態を示す説明図である。
【図１０】図１０は、補強シール部を構成するシール部材の他の実施形態を示す説明図である。
【発明を実施するための形態】
【００２４】
次に、本発明の実施形態について図面を参照しながら以下で説明する。
図１は、本発明に従う代表的なダイ方式塗工装置の要部構成を示す概略斜視図である。
【００２５】
図１に示すダイ方式塗工装置１００は、供給ロール２０とダイ２１と巻取ロール２２とで主として構成されている。
【００２６】
供給ロール２０は、長尺帯状のウェブＴを連続的に送り出すために配置したものであって、塗工前の搬送停止状態では、ウェブＴをロール状に螺旋巻回したものである。なお、ウェブＴとしては、例えば、プラスチックフィルム、紙、金属箔などが挙げられる。
【００２７】
ダイ２１は、供給ロール２０から送り出されて搬送されるウェブＴの少なくとも片面上、図１ではウェブＴの片面Ｔａ上に、所定の塗工幅Ｗｐで塗布液を吐出させて塗布液膜２３を形成するために配置したものである。
【００２８】
巻取ロール２２は、ウェブＴ上に形成した塗布液膜２３を、例えば乾燥装置２５によって乾燥させて塗布膜２４とした後に、ウェブＴを巻き取るためのものである。
【００２９】
前記塗布液膜２３の乾燥は、図１では、塗布液膜２３を塗布したウェブＴを、例えば熱風乾燥機や赤外線乾燥機のような乾燥装置２５内を連続的に通過させることにより、短時間で乾燥させるための実施形態が示されているが、乾燥装置２５の配設は必ずしも必要ではなく、連続ラインにおいて、大気中での自然乾燥でも乾燥できるのであればよく、特に限定はしない。
【００３０】
また、図１では、供給ロール２０とダイ２１との間、およびダイ２１と巻取ロール２２との間には、ウェブＴの搬送速度やウェブＴに作用する張力の調整等を行うため、複数本のガイドローラ２６等が配置されており、加えて、ウェブＴを挟んでダイ２１と対向する位置に、バックアップローラ２７を具えている。なお、バックアップローラ２７については、必要に応じて適宜配設することができる。
【００３１】
そして、本発明の構成上の主な特徴は、ダイ２１の両端部２１ａ，２１ｂに配置したインナーディッケル３５を、ダイ２１内にて、ダイ２１の長手方向Ｌに沿う移動が容易になるように構成するとともに、ウェブＴの搬送方向Ｆに見て、ダイ２１の上流位置と下流位置にそれぞれ所定の検出手段２８、２９を配設することにあり、より具体的には、塗工装置１００は、ウェブＴの搬送方向Ｆに見て、ダイ２１よりも上流位置に配設され、ウェブＴの両幅端位置30a,30bを検出するウェブ幅端位置検出手段、図１では１対のウェブ幅端位置検出手段２８、２８と、ダイ２１よりも下流位置に配設され、ウェブＴ上の塗布液膜２３または塗布膜２４の両幅端位置31a,31bを検出する膜幅端位置検出手段２９、図１では１対の膜幅端位置検出手段２９とをさらに具え、ダイ２１が、ダイ２１の両端部21a,21bに配置され、ダイ２１内にて、ダイ２１の長手方向Ｌに沿う移動が容易になるように構成した、塗工幅Ｗｐを調整するための１対のインナーディッケル３５と、インナーディッケル３５を移動させるため駆動させる駆動手段３２とを有し、ウェブ幅端位置検出手段２８により検知したウェブＴの両幅端位置情報、および膜幅端位置検出手段２９により検知した塗布液膜２３または塗布膜２４の両幅端位置情報に基づいて駆動手段３２を駆動させることによって、ダイ２１に対するインナーディッケル３５のそれぞれの相対位置を変更することにある。
【００３２】
なお、ウェブ幅端位置検出手段２８により検知したウェブＴの両幅端位置情報、および膜幅端位置検出手段２９により検知した塗布液膜２３または塗布膜２４の両幅端位置情報に基づいて駆動手段３２を駆動させる方法としては、例えば、図１に示すように、ウェブ幅端位置検出手段２８、膜幅端位置検出手段２９および駆動手段３２を連動させる構成にすればよく、例えば、ウェブ幅端位置検出手段２８、膜幅端位置検出手段２９および駆動手段３２をコンピューター等の制御装置３３に接続し、この制御手段３３を用いて、ウェブ幅端位置検出手段２８および膜幅端位置検出手段２９からの位置情報に基づいて駆動手段３２を駆動させる方法が挙げられる。
【００３３】
ウェブ幅端位置検出手段２８および膜幅端位置検出手段２９としては、いずれも、例えば超音波センサー、ＣＣＤカメラ等が挙げられる。なお、膜幅端位置検出手段２９は、図１では、塗布液膜２３の幅端位置を測定できる位置に配設した場合を示しているが、更に下流側で、塗布膜２４の幅端位置を測定できる位置に配設することも可能である。
【００３４】
駆動手段３２としては、例えば  インナーディッケルの末端に連結された出力軸と、この出力軸を正回転と逆回転させるモータ等により構成する場合が挙げられ、この構成により、出力軸を正回転させると、出力軸およびインナーディッケルがダイの長手方向中央部に向かう方向に前進し、出力軸を逆回転すると、出力軸およびインナーディッケルがダイの長手方向中央部側から端部側に向かって後退することができる。
【００３５】
次に、本発明のダイ方式塗工装置を構成するダイおよびインナーディッケルの実施形態について以下で説明する。
図２は、本発明に従うダイ方式塗工装置を構成する代表的なインナーディッケルをダイに装着する前の状態を示す斜視図、図３は、図２に示すインナーディッケルをダイに装着した後の状態を示す斜視図、そして、図４は、図２に示すインナーディッケルを、その先端側の斜め上方位置から眺めたときの拡大斜視図、図５は、図４の領域Ｘで囲まれたインナーディッケルの部分の拡大斜視図、そして、図６は、図４に示すインナーディッケルの補強シール部を構成する第２スペーサ部材とシール部材の寸法関係を説明するための図である。
【００３６】
図２に示すダイ１は、１対の分割金型部材2a,2bを合体させて形成してなる金型２で構成され、金型２の長手方向Ｌに貫通するまで延びるマニホールド３と、このマニホールド３から金型２の径方向外方Ｒに向かって延びるスリット４とを有している。
【００３７】
このダイ１の両端部1a,1bに、塗工幅の調整のため、１対のインナーディッケル５（片方のインナーディッケルのみ図示）のそれぞれが配置される。
【００３８】
インナーディッケル５は、シャフト状のディッケル本体部６と、シート状またはフィルム状のディッケル補助部７とを有している。ディッケル補助部７の厚みは、スリット４の幅に対して、その偏差として±２μｍとすることが好ましい。また、ディッケル補助部７は、その厚さをスリット４の幅よりも厚くする場合には、シート状またはフィルム状の複数枚の薄片からなる複層タイプのディッケル補助部７として構成することも可能である。
【００３９】
ディッケル本体部６は、マニホールド３のキャビティに対応した外面形状をもち、ディッケル補助部７は、ディッケル本体部６から延び、スリット４のスペースに対応した外面形状をもっている。
【００４０】
そして、本発明の塗工装置に用いるインナーディッケル５は、ディッケル本体部６に、特定構造をもつ補強シール部８を具えることにあり、より具体的には、ディッケル本体部６は、前記ディッケル補助部７を配置した領域９の少なくとも一部、図４及ではインナーディッケル５の先端側区域９ａに、前記マニホールド３のキャビティ内に充填される、塗布または押出成形するための液状物の液密封止を補強する補強シール部８を具え、補強シール部８が、図６に示すように、ダイ１に対するインナーディッケル５の位置移動時には、マニホールド３の内壁に対して弾性変形しながら摺動し、かつ、ダイ１に対するインナーディッケル５の位置固定時には、弾性復元力により、互いに協動した状態で前記内壁に密着する２枚以上のフィルムを含む少なくとも１つのシール部材１１、図４の補強シール部の部分拡大図である図５では、２枚のフィルム11a,11bで構成される６つのシール部材１１を具えることにある。
【００４１】
なお、ここでいう「弾性復元力により、互いに協動した状態で前記内壁に密着する」とは、前記シール部材１１を構成する２枚以上のフィルムが、ともに同じ方向に弾性復元する動きをする結果として、互いに協力し合ってマニホールドの内壁に密着することを意味し、具体的には、例えば２枚以上のフィルム同士が、折り重なった状態でマニホールドの内壁に密着する場合がシール性を高める観点から好適であるが、フィルム同士が分離した状態でマニホールドの内壁に密着する場合や、フィルム間に、塗布または押出成形するための液状物が入り込んで、フィルム間に位置するマニホールドの内壁部分に形成した膜の存在下でフィルム同士が互いに協力し合ってマニホールドの内壁に密着することによって、シール性を高めるような場合も含まれる。
【００４２】
そして、本発明は、インナーディッケル５に上記構成を採用することによって、ダイ１に対するインナーディッケル５の位置変更時には、補強シール部８のシール部材１１（より厳密にはシール部材１１を構成するフィルム11a.11b）が、ダイ１のマニホールド３の内壁に対して接触するものの、インナーディッケル５の装着方向（挿入方向）Ｉｄとは反対方向に容易に弾性変形しながら摺動するため、ダイ１へのインナーディッケル５の挿入力を小さくすることができ、また、ダイ１に対するインナーディッケル５の位置固定時には、補強シール部８のシール部材１１が、弾性復元力により、互いに協動した状態でマニホールド３の内壁に密着する結果、ダイ１に対するインナーディッケル５の位置固定時における十分な液密状態の確保と、ダイ１に対するインナーディッケル５の位置移動時における塗工幅調整の容易化の両立を図ることができる。
【００４３】
本発明は、特に補強シール部８を、単一フィルムではなく、２枚以上のフィルム11a、11bを含むシール部材１１で構成することにより、ダイ１に対するインナーディッケル５の位置移動時には、フィルム11a,11bの倒れ込み変形をより一層容易にして摺動性を向上させ、また、ダイ１へのインナーディッケル５の位置固定時には、ダイ１のマニホールド３内壁に対するシール部材１１のフィルム11a,11bが弾性復元力により、互いに協動した状態、好適にはフィルム11a,11b同士が折り重なった状態でマニホールド３の内壁に密着することに伴ってフィルム11a,11ｂの総接触面積が、単一フィルムからなるシール部材に比べて増加するため、十分な液密状態を確保することができる。
【００４４】
シール部材１１を構成するフィルム11a,11bは、マニホールド径ｒｃよりも大きな外径ｒｂをもつことが、ダイ１に対するインナーディッケル５の位置固定時に、弾性復元力により、互いに協動した状態でマニホールド３の内壁に密着するように構成する点で必要であり、具体的には、シール部材１１を構成するフィルム11a,11bの外径ｒｂを、マニホールド径ｒｃよりも0.01〜１ｍｍだけ大きくすることが好ましい。なお、ここでいう「マニホールド径」とは、マニホールド３の横断面形状が、真円形状である場合にはその半径を意味し、また、図１に示すような半円形状や、半楕円形状、楕円形状などのように複数の異なる径を有する形状である場合には、径の中心位置または径の中心に相当する位置から、スリット４の延在方向（図１に示す金型２の径方向外方Ｒ）に沿って測定した半径（直径の１／２）を意味する。
【００４５】
シール部材１１を構成するフィルム11a,11bの外径ｒｂがマニホールド径ｒｃに比べて１ｍｍよりも大きい場合には、ダイ１に対するインナーディッケル５の位置移動時におけるインナーディッケル５の挿入力が高くなって、装着の際の作業性が悪化する傾向があるため好ましくない。また、フィルム11a,11bの外径ｒｂがマニホールド径ｒｃに比べて0.01ｍｍ未満しか差がない場合には、ダイ１に対するインナーディッケル５の位置固定時における液密状態を十分に確保できなくなる傾向があるため好ましくない。
【００４６】
シール部材１１を構成するフィルム11a,11bは、ダイ１に対するインナーディッケル５の位置変更時には、容易に倒れ込み変形をし、かつダイ１に対するインナーディッケル５の位置固定時には、元の形状に復元する特性を有することが必要であるため、弾性率が10000ＭＰａ以下、好適には1000ＭＰａ以下の弾性材料であることが好ましく、特に潤滑性樹脂材料が最適である。
【００４７】
潤滑性樹脂材料としては特に限定はしないが、シール部材１１は、耐薬品性および摺動性に優れていることが望ましく、この点から、潤滑性樹脂材料として、好適には静摩擦係数が０.２以下である樹脂材料、例えばポリテトラフルオロエチレン（ＰＴＦＥ）を用いることが好ましい。
【００４８】
また、シール部材１１は、図４および図５では２枚のフィルム11a,11bのみで構成した場合を示したが、３枚以上のフィルムで構成してもよく、また、ダイ１に対するインナーディッケル５の位置固定時に折り重なった状態を維持できる範囲で、例えば図７のようにフィルム11aとフィルム11bとの間に、マニホールド径ｒｃよりも小さな外径、好適にはマニホールド径ｒｃよりも0.001〜３ｍｍだけ小さい外径ｒｓをもつ第１スペーサ部材１２をさらに具えていてもよく、第１スペーサ部材１２は必要に応じて適宜配設することができる。
【００４９】
なお、第１スペーサ部材１２を配設する場合、第１スペーサ部材１２の厚さｔｓは、第１スペーサ部材１２の外径をｒｓ、フィルム11a,11bの外径をｒｂとすると、下記の関係式を満足することが好ましい。
ｔｓ＜（ｒｂ−ｒｓ）
【００５０】
ｔｓ≧（ｒｂ−ｒｓ）の関係になると、フィルム11a,11b間の距離が、フィルム11a,11bの弾性変形する部分の長さ寸法に比べて同等ないし大きくなるため、ダイ１に対するインナーディッケル５の位置固定時にフィルム11a,11b同士が分離した状態になって、互いに協動した状態、特に折り重なった状態を実現することができなくなる傾向があるため好ましくない。
【００５１】
また、フィルム11a,11bの厚さｔｂ(図６では、tb1,tb2)は、前記ダイに対するインナーディッケルの位置移動時には、前記マニホールドの内壁に対して弾性変形しながら摺動し、かつ、前記ダイに対するインナーディッケルの位置固定時には、弾性復元力により、互いに協動した状態で前記内壁に密着できる構成であればよく、特に限定はしないが、前記ダイに対するインナーディッケルの位置移動時に前記マニホールドの内壁に対して弾性変形しながら摺動可能な前記各フィルム11a,11bの厚さｔｂとしては、例えばｔｂ≦４（ｒｃ−ｒｓ）の範囲にすることが好ましい。ｔｂ＞４（ｒｃ−ｒｓ）の関係になると、前記ダイに対するインナーディッケルの位置移動時に、前記マニホールドの内壁に対して十分に弾性変形できず、摺動時の移動力が大きくなってインナーディッケルがダイ内を移動できなくなる傾向があるからである。
【００５２】
前記フィルム11a、11bの厚さの好適範囲としては、フィルムの材質によっても異なるが、例えば、前記フィルム11a、11bとしてＰＴＦＥフィルムを用いた場合には、各フィルム11a、11bの厚さは、0.05〜0.4ｍｍ程度の厚さにすることが好ましい。
【００５３】
また、補強シール部８は、少なくとも２つのシール部材１１、図４では６つのシール部材１１を具え、該シール部材１１、１１間に、マニホールド径ｒｃよりも小さい外径ｒａをもつ第２スペーサ部材１０をさらに具えることが、インナーディッケル５の位置移動時において、シール部材１１を構成するフィルム11a,11bが弾性変形するためのスペースを確保すると共に、ダイのマニホールド３の内壁に対するインナーディッケル５全体の接触面積を小さくして摺動抵抗を低くする点で好ましい。
【００５４】
なお、図４では、６つのシール部材１１と、これらのシール部材１１間に５つの第２スペーサ部材１０を介装した場合の例が示してあるが、シール部材１１と第２スペーサ部材１０の配設数は、必要に応じて適宜選択することができる。
【００５５】
第２スペーサ部材１０の外径ｒａは、マニホールド径よりも0.001〜３ｍｍだけ小さいことが好ましい。第２スペーサ部材１０の外径ｒａがマニホールド径ｒｃに比べて３ｍｍよりも小さいと、ダイ１にインナーディッケル５を装着したときに、第２スペーサ部材１０と、ダイ１のマニホールド３の内壁との間に大きなスペースが生じるため、インナーディッケル５の位置固定時における液密状態を十分に確保できなくなる傾向があるからである。また、第２スペーサ部材１０の外径ｒａがマニホールド径ｒｃに比べて0.001ｍｍ未満しか差がないと、インナーディッケル５の位置移動時に、補強シール部８のシール部材１１が第２スペーサ部材１０側に変形するための、ダイ１のマニホールド３内におけるスペースが不足し、位置移動時（装着時）におけるインナーディッケル５の移動力が高くなる傾向があるからである。
【００５６】
第１スペーサ部材１２および第２スペーサ部材１０の材質については特に限定はしないが、例えば、ポリエチレンテレフタレート（ＰＥＴ）、ＰＴＦＥなどの各種樹脂材料を用いることができる。
【００５７】
また、図８〜図１０は、補強シール部８を構成するシール部材１１の他の実施形態を示したものであって、図８がシール部材を構成する２枚のフィルム11a,11bの外径を異ならせた場合、図９がシール部材１１を構成する２枚のフィルム11a,11bの厚みを異ならせた場合、そして、図１０がシール部材１１を構成する２枚のフィルム11a,11bの外縁部の断面形状を、ダイ１へのインナーディッケル５の装着時に、ダイ１のマニホールド３内壁への接触面積が増加するような形状とした場合の例であり、また、これらの構成を組み合わせることも可能である。
【００５８】
また、本発明のインナーディッケル５はダイ用インナーディッケルであり、このインナーディッケル５を具えるダイ１は、十分な液密状態の確保と塗工幅調整の容易化の両立を図ることができる。
【００５９】
次に、本発明に従うダイ方式塗工方法の一例について以下で説明する。
まず、供給ロール２０から長尺帯状のウェブＴを連続的に送り出し、送り出されて搬送されるウェブＴの両幅端位置30a,30bの上方に配置した１対のウェブ幅端位置検出手段２８、２８により、ウェブＴの両幅端位置30a,30bを検出する。
【００６０】
次いで、ウェブＴの少なくとも片面、図１ではウェブＴの片面Ｔａ上に、ダイ２１により塗布液を吐出させて塗布液膜２３を形成する。
【００６１】
その後、この塗布液膜２３の両幅端位置31a,31bを、１対の膜幅端位置検出手段２９，２９により検知する。
【００６２】
そして、ウェブ幅端位置検出手段２８、２８により検知したウェブＴの両幅端位置30a,30bの情報および膜幅端位置検出手段２９、２９により検知した塗布液膜２３の両幅端位置31a,31bの情報の出力信号を制御装置３３に入力し、これらの出力信号に基づいて、ウェブが正規搬送位置からずれた位置で搬送されている場合には、駆動手段３２を駆動させて、ウェブの表面上に形成される塗布液膜の両幅端位置を、ウェブの両幅端位置に対して迅速に所望の位置関係に修正するため、ダイ２１に対するインナーディッケル３５のそれぞれの相対位置を変更する。
【００６３】
その後、ウェブＴを、乾燥装置２５内を通過させて乾燥させて塗布膜とした後、巻き取りロールによりウェブＴを巻き取る。
【００６４】
このように、本発明の塗布装置および塗布方法は、巻き取られたウェブＴは、全長にわたって、塗布膜２４を、所期したウェブＴの幅中央位置に正確に形成することができるため、その後、塗布膜２４を形成したウェブＴのうち、塗布膜が形成されていない両幅端部における切り落とし幅が減少する結果、産業廃棄物量が削減されて歩留りを向上させることができ、また、被処理材を、異なる幅寸法をもつウェブに変更して塗布膜を形成する場合であっても、ダイを分解することなく、ウェブ幅に対応して塗工幅をフレキシブルに調整することができる結果、ダイ導入コストの削減やダイ組み付け工数の削減が図れる。
【００６５】
なお、本発明の塗布装置は、これに用いるダイのインナーディッケルが、十分な液密状態の確保と塗工幅調整の容易化の両立を実現できる構成を有しているので、特に、粘度の低い塗布液を塗布する場合であっても、十分な液密状態を保持した状態で塗工幅の調整が容易であるという顕著な効果を奏することができる。
【００６６】
上述したところは、この発明の実施形態の一例を示したにすぎず、特許請求の範囲において種々の変更を加えることができる。
【実施例】
【００６７】
次に、この発明に従う塗工装置を試作し、この塗工装置を用いて走行するウェブ表面に連続的に塗布し、性能評価を行ったので、以下で説明する。
【００６８】
実施例は、図１に示す塗工装置、図２および図３に示すダイ、並びに図２〜図６に示すインナーディッケルを用いたものであって、ダイ１のマニホールド径ｒｃが２０ｍｍであり、スリット４の幅が300μｍ、ディッケル補助部７の厚さが295μｍ、補強シール部８は、ディッケル補助部７を配置した領域内の、インナーディッケルの先端側区域9aに設け、厚さが200μｍのＰＴＦＥ樹脂材料製の２枚のフィルム11a,11bからなる計６つのシール部材１１と、これらシール部材１１、１１間にそれぞれ介挿された厚さ：500μｍの ＰＥＴ樹脂製の計５つの第２スペーサ部材１０とで構成され、第２スペーサ部材１０の外径ｒａを、マニホールド径ｒｃよりも100μｍだけ小さく、シール部材１１を構成する２枚のフィルム11a,11bの外径ｒｂを、マニホールド径ｒｃよりも100μｍだけ大きくなるように設定し、連続走行するウェブの表面に塗布液を塗布する間は、ウェブ幅端位置検出手段および膜幅端位置検出手段により、それぞれウェブＴの両幅端位置と、塗布液膜の両幅端位置とを検知し、それらの検知の結果、ウェブが正規搬送位置からずれた位置で搬送されていると判断された場合には、制御装置を通じて前記検知の結果に基づいて駆動装置を駆動させて、ダイ内のインナーディッケル位置を移動させて、塗布液膜がウェブの所定位置に塗布されるように制御しながらウェブの全長にわたって塗布液を塗布した。塗布液にはアクリル系粘着剤（粘度1000ｍPas）を用い、乾燥後の塗布厚：200μｍになるように塗工条件を調整した。
【００６９】
ウェブには厚さ：３８μｍ、幅：250ｍｍのＰＥＴフィルムを用い、塗工装置に通した。走行中のウェブを、ＥＰＣ（耳端位置制御）装置を用いて振れ幅５ｍｍで蛇行させた。塗工幅を最大限に広げた場合において、塗布厚：200±20μｍの領域を最大塗布幅（ｍｍ）として記録した。
【００７０】
比較のため、ウェブ幅端位置検出手段、膜幅端位置検出手段、駆動装置および制御装置を設けず、ウェブに塗布液を塗布する間は、ダイに配置したインナーディッケルを移動させず固定位置に維持したこと以外は実施例と同様にウェブの表面に塗布膜を形成した。
【００７１】
表１に、実施例および比較例で製造した塗布膜を有するウェブについて、最大塗布幅を測定した結果を示す。
【００７２】
【表１】
2013188735.tif 000003
【００７３】
表１に示す評価結果から、実施例は、比較例に比べて、最大塗布幅が広くなっており、このことから、塗布膜の両幅端位置を、ウェブの両幅端位置に対して適正位置関係に迅速に修正されていることが理解できる。
【００７４】
また、被処理材（ウェブ）を、幅：250ｍｍから幅：200ｍｍのＰＥＴ製フィルムに変更して塗布膜を形成するため、本発明の塗工装置を用い、上記と同様な塗工方法によって行った。その結果、ダイを分解することなく、インナーディッケルを小さな挿入力で移動させて、変更したウェブ幅に対応して適正な塗工幅に迅速に設定できることを確認した。
【産業上の利用可能性】
【００７５】
本発明によれば、ダイの両端部に配置したインナーディッケルを、ダイ内にて前記ダイの長手方向に沿う移動が容易になるように構成するとともに、ウェブの搬送方向に見て、ダイの上流位置と下流位置にそれぞれ所定の検出手段を配設することによって、連続走行する長尺帯状のウェブが正規搬送位置からずれた位置で搬送された場合であっても、ウェブの表面上に形成される塗布液膜または塗布膜の両幅端位置を、ウェブの両幅端位置に対して迅速に所望の位置関係に修正することができ、また、被処理材を、異なる幅寸法をもつウェブに変更して塗布膜を形成する場合であっても、ダイを分解することなく、ウェブ幅に対応して塗工幅の調整が容易なダイ方式塗工装置およびダイ方式塗工方法を提供することが可能になった。
【符号の説明】
【００７６】
１  ダイ
2a、2b  分割金型部材
２  金型
３  マニホールド
４  スリット
５  インナーディッケル
６  ディッケル本体部
７  ディッケル補助部
８  補強シール部
９  ディッケル本体部６の、ディッケル補助部７を配置した領域
9a  インナーディッケル５の領域９内の先端側区域
10  スペーサ部材
11  シール部材
12  複合介挿部材
100  ダイ方式塗工装置
20  供給ロール
21  ダイ
22  巻取ロール
23  塗布液膜
24  塗布膜
25  乾燥装置
26  ガイドローラ
27  バックアップローラ
28  ウェブ幅端位置検出手段
29  膜幅端位置検出手段
30a,30b  ウェブの幅端位置
31a,31b  塗布液膜23（または塗布膜24）の両幅端位置
32  制御装置
33  駆動手段
35  インナーディッケル
【図１】
2013188735.tif 000004
【図２】
2013188735.tif 000005
【図３】
2013188735.tif 000006
【図４】
2013188735.tif 000007
【図５】
2013188735.tif 000008
【図６】
2013188735.tif 000009
【図７】
2013188735.tif 000010
【図８】
2013188735.tif 000011
【図９】
2013188735.tif 000012
【図１０】
2013188735.tif 000013